(57)【要約】【課題】製造コストの上昇を防止するとともに、圧迫感などの悪影響を与えず入浴者が十分に半身浴を楽しむことができる風呂蓋及び浴槽を提供する。【解決手段】浴槽本体１４の背側に位置する背側リム面上に配置させる背側風呂蓋１２Ａと浴槽本体１４の足側に位置する足側リム面上に配置される足側風呂蓋１２Ｂとで構成された風呂蓋１２を有し、背側風呂蓋１２Ａの端部と足側風呂蓋１２Ｂの端部とが重なり浴槽本体１４の開口部１６を覆う浴槽であって、背側風呂蓋１２Ａには入浴者の頭部を外部に出すための切欠部が形成され、足側風呂蓋１２Ｂは足側リム面の一部に形成された段落ち部１８に配置され段落ち部１８に配置された状態で足側風呂蓋１２Ｂの上面と背側リム面とが面一となる構成とした。【選択図】      図２
2004305614.tif 000002
【特許請求の範囲】
【請求項１】
浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、
前記背側風呂蓋には入浴者の頭部を外部に出すための切欠部が形成され、前記足側風呂蓋は前記足側リム面の一部に形成された段落ち部に配置され前記段落ち部に配置された状態で前記足側風呂蓋の上面と前記背側リム面とが面一となることを特徴とする浴槽。
【請求項２】
浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、
前記足側風呂蓋は前記浴槽本体の前記足側リム面の一部に形成された段落ち部に配置され前記段落ち部に配置された状態で前記足側風呂蓋の一部分が前記足側リム面上から突出しており、
前記背側風呂蓋には、入浴者の頭部を外部に出すための切欠部が形成されているとともに、前記背側風呂蓋が前記足側風呂蓋上をスライドするときに前記足側風呂蓋の前記足側リム面上から突出した突出部分を収納する収納部が形成されていることを特徴とする浴槽。
【請求項３】
浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、
前記足側風呂蓋には、前記浴槽本体の前記足側リム面の一部に設けられた複数の突部が入り込み当該足側風呂蓋を位置決めする位置決め孔が形成され、
前記背側風呂蓋には、入浴者の頭部を外部に出すための切欠部が形成されているとともに、前記背側風呂蓋が前記足側風呂蓋上をスライドするときに前記足側風呂蓋を収納する収納部が形成されていることを特徴とする浴槽。
【請求項４】
前記足側風呂蓋は、前記段落ち部の一側面と接触し前記浴槽本体の長手方向の移動が規制されていることを特徴とする請求項１又は２に記載の浴槽。
【請求項５】
前記背側風呂蓋の端部が前記足側風呂蓋の端部と重なり前記浴槽本体の開口部を覆った状態において、前記切欠部は前記浴槽本体の前記背側リム面上に位置することを特徴とする請求項１乃至４のいずれか１項に記載の浴槽。
【請求項６】
前記浴槽本体の前記背側リム面上であって前記背側風呂蓋の端部が前記足側風呂蓋の端部と重なり前記浴槽本体の開口部を覆った状態において前記切欠部が位置する部位には、入浴者の頭部を支持するヘッドレストが配置されており、前記切欠部の幅方向の寸法が前記ヘッドレストの幅方向の寸法以上に設定されていることを特徴とする請求項５に記載の浴槽。
【請求項７】
前記ヘッドレストが前記背側風呂蓋の前記切欠部に進入し前記切欠部の幅方向に延びる内面と接触したときに、前記背側風呂蓋の端部が前記足側風呂蓋の端部と重なり前記浴槽本体の開口部を覆った状態になることを特徴とする請求項６に記載の浴槽。
【請求項８】
浴槽本体の背側に位置する背側リム面上に配置させる背側風呂蓋と前記浴槽本体の足側に位置する足側リム面上に配置される足側風呂蓋とで構成され、前記背側風呂蓋の端部と前記足側風呂蓋の端部とが重なり前記浴槽本体の開口部を覆う風呂蓋であって、
前記背側風呂蓋は、該背側風呂蓋の長手方向に沿って複数個に分割されており、分割された前記各分割部が所定の角度の範囲で回転可能となるように各分割部同士が軟質部材で接続されており、かつ長手方向の一方の端部に位置する前記分割部には入浴者の頭部を外部に出すための切欠部が形成されており、
前記足側風呂蓋は、前記浴槽本体の前記足側リム面に設けられた上方へ膨出する膨出部を覆うために湾曲させた湾曲部を有していることを特徴とする風呂蓋。
【請求項９】
前記切欠部が形成された前記分割部に対して長手方向反対側の端部に位置する分割部と当該分割部に隣接する他の分割部とは、前記各分割部の肉厚方向の一方側に位置し相互に向かい合う角部同士が前記軟質部材によって接続されていることを特徴とする請求項８に記載の風呂蓋。
【請求項１０】
前記切欠部が形成された前記分割部に対して長手方向反対側の端部に位置する分割部と当該分割部に隣接する他の分割部の相互に向かい合う各側面は、当該各側面の離間寸法が前記軟質部材で接続されている角部から前記肉厚方向に沿って遠ざかるにつれて大きくなるように、それぞれ傾斜していることを特徴とする請求項９に記載の風呂蓋。
【請求項１１】
前記切欠部が形成された前記分割部に対して長手方向反対側の端部に位置する分割部が前記足側風呂蓋の前記湾曲部に接触して回転するときに、回転する前記分割部と隣接する他の分割部の少なくとも一部が前記足側風呂蓋の少なくとも一部と重なることを特徴とする請求項９又は１０に記載の風呂蓋。
【請求項１２】
前記切欠部が形成された前記分割部と当該分割部に隣接する他の分割部とは、前記各分割部の肉厚方向の一方側に位置し相互に向かい合う角部同士が前記軟質部材によって接続されており、
前記切欠部が形成された前記分割部が前記軟質部材を基点として所定の角度回転させたときに露出する前記分割部の下面に凹部が形成されており、前記凹部の内部には入浴者と前記背側風呂蓋との間に位置する前記浴槽本体の開口部を覆う覆い部材が取り付けられる取付部が設けられていることを特徴とする請求項８乃至１１のいずれか１項に記載の風呂蓋。
【請求項１３】
前記切欠部が形成された前記分割部の幅方向に沿って測定した幅方向寸法が当該分割部の先端部に近づくにつれて小さくなるように設定されていることを特徴とする請求項１２に記載の風呂蓋。
【発明の詳細な説明】
【０００１】
【発明の属する技術分野】
本発明は、半身浴を楽しむことができる風呂蓋及び浴槽に関する。
【０００２】
【従来の技術】
図１８に示すように、例えば半身浴をする場合に用いられる風呂蓋２００として、いわゆるはね上げ式の風呂蓋２００がある。この風呂蓋２００は、２分割されているものが多く、浴槽本体２０２のリム上の背側と足側にそれぞれ載置されるとともに両方の端部を付き合わせるように配置されるものである。ここで、半身浴をする場合には風呂蓋２００により浴槽本体２０２を密閉し内部の熱を逃がさないようにすることが効果的であり好ましいが、浴槽本体２０２の内部にいる入浴者Ｍの頭及び顔の部分は浴槽本体２０２の外部に出す必要があるため、背側に位置する風呂蓋２００の一部２００Ａがはね上がる構造にしている。背側に位置する風呂蓋２００の一部２００Ａをはね上げることにより、そこに形成されたスペースＪから入浴者Ｍの頭及び顔を浴槽本体２０２の外部に出すことができる。
【０００３】
ところで、図１８に示すように、はね上げ式の風呂蓋２００では、跳ね上げた部分２００Ａがそのまま引っ繰り返されて風呂蓋２００の上面に積まれるため、ちょうど入浴者Ｍのあご部に相当する部分の風呂蓋２００の厚みが増してしまう。このため、場合によっては入浴者Ｍのあごに接触することがあり、たとえあごに接触しなくても入浴者Ｍはかなりの圧迫感を感じてしまい、気持ち良く半身浴ができないという問題がある。また、風呂蓋２００の一部２００Ａを跳ね上げる構造にすると構造が複雑になるため、製造コストが高くなるという問題がある。
【０００４】
また、図１９に示すように、いわゆる脱着式の風呂蓋２１０がある。この風呂蓋２１０は、前述したいわゆるはね上げ式の風呂蓋２００の構成とは異なり、背側に位置する風呂蓋２１０の一部に切欠き２１２を形成し、この切欠き２１２に嵌める切欠き蓋２１４を別途用いるものである。入浴者がいない場合には切欠き蓋２１４を切欠き２１２に嵌めることにより浴槽本体内部の湯の温度低下を極力防止することができるとともに、半身浴を行う入浴者がいる場合にはこの切欠き蓋２１４を取り外して切欠き２１２から入浴者の頭及び顔を外部に出し半身浴を楽しむことができる。
【０００５】
ところで、図１９に示すように、脱着式の風呂蓋２１０では、切欠き蓋２１４を別途製造する必要があるため、製造コストが高くなるという問題がある。風呂蓋２１０を浴槽本体２１６のリム上から外して全身浴をする場合には、風呂蓋２１０の部品点数が増えてしまい、風呂蓋２１０の収納性が悪くなる問題がある。
【０００６】
さらに、図２０及び図２１に示すように、いわゆるスライド式の風呂蓋２２０がある。この風呂蓋２２０は、背側に位置する風呂蓋２２０の一部をスライド部２２０Ａとして風呂蓋２２０の内部に収納できる構成になっており、スライド部２２０Ａが完全に収納されることにより、スペースを形成するものである。これにより、入浴者がいない場合にはスライド部２２０Ａを収納させないことにより浴槽本体の開口部を閉塞でき浴槽本体内部の湯の温度低下を極力防止することができるとともに、半身浴を行う入浴者がいる場合にはこのスライド部２２０Ａをスライドさせて収納しそのスペースから入浴者の頭及び顔を浴槽本体の外部に出すことができる。
【０００７】
ところで、図２０及び図２１に示すように、スライド式の風呂蓋２２０では、風呂蓋２２０の構成が複雑となるため、製造コストが高くなるという問題がある。また、スライド部２２０Ａをスライドさせるため、風呂蓋２２０の掃除がし難くなるという問題がある。
【０００８】
一方、図２２に示すように、半身浴をした状態で入浴者Ｍが本などを読む場合には、入浴者Ｍの頭や顔の部分だけではなく、手の部分も浴槽本体２３０の外部に出す必要がある。ここで、浴槽本体２３０の足側に位置するリム面の一部が盛り上がった形状になっている場合、盛り上がったリム面に沿うように足側の風呂蓋２３２の一部を湾曲させて形成し、リム面の盛り上がりに合致させることにより、浴槽本体内部の熱を外部に逃がさないようにする必要がある。
【０００９】
このとき、図２２に示すように、いわゆる２分割の風呂蓋２３２、２３４は入浴者Ｍの頭や手を浴槽本体２３０の外部に出すために、入浴者Ｍが背側に位置する風呂蓋２３４を押し、足側に位置する風呂蓋２３２の上面上をスライドさせて背側の風呂蓋２３４をずらす必要がある。入浴者Ｍは、背側の風呂蓋２３４をずらした状態で本などを読むが、足側に位置する風呂蓋２３２の一部が湾曲しているために、背側の風呂蓋２３４が足側の風呂蓋２３２上を滑って背側に戻ってくるおそれがある。この結果、入浴者Ｍは恐怖心を抱き、半身浴をしながらゆっくりと本などを読むことができず、また、たとえ背側の風呂蓋２３４が足側の風呂蓋２３２の上面で止まっていても、湾曲している風呂蓋上に乗り上がる形になるため、入浴者Ｍが圧迫感を感じてしまう問題がある。さらに、足側の風呂蓋２３２の一部が湾曲しているため、背側の風呂蓋２３４が足側の風呂蓋２３２の上面に乗り上がると背側の風呂蓋２３４と足側の風呂蓋２３２との間に隙間が生じてしまい、その隙間から浴槽本体内部の蒸気が外部に逃げてしまう問題がある。
【００１０】
【特許文献１】
特開平１０−３１４０６０号公報
【特許文献２】
特開平８−６６４５５号公報
【特許文献３】
特開平７−３２２９６５号公報
【特許文献４】
特開２０００−２０１８４７号公報
【００１１】
【発明が解決しようとする課題】
そこで、本発明は上記事情に鑑みて成されたものであり、製造コストの上昇を防止するとともに、圧迫感などの悪影響を与えず入浴者が十分に半身浴を楽しむことができる風呂蓋及び浴槽を提供することを目的とする。
【００１２】
【課題を解決するための手段】
本発明は、上記課題を解決するため、以下の手段を採用する。
請求項１に記載の発明は、浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、前記背側風呂蓋には入浴者の頭部を外部に出すための切欠部が形成され、前記足側風呂蓋は前記足側リム面の一部に形成された段落ち部に配置され前記段落ち部に配置された状態で前記足側風呂蓋の上面と前記背側リム面とが面一となることを特徴とする。
【００１３】
請求項１に記載の発明によれば、浴槽本体の足側リム面の一部に形成された段落ち部に足側風呂蓋が配置されており、足側風呂蓋が段落ち部に配置された状態では足側風呂蓋の上面と浴槽本体の背側リム面とが面一となっている。一方、浴槽本体の背側リム面上には背側風呂蓋が配置されており、背側風呂蓋には切欠部が形成されている。
ここで、入浴者は、足側風呂蓋を段落ち部に配置するとともに背側風呂蓋を背側リム面上に配置し、自らの頭部は切欠部から外部に出した状態で半身浴を楽しむことになる。これにより、入浴者の首部及び頭部は浴槽本体の外部に露出させることができる。
ところで、たとえば半身浴が終了し入浴者が浴槽の内部から出るときには、自らの手で背側風呂蓋を押して足側風呂蓋の上面上を滑らせる。このとき、足側風呂蓋が段落ち部に配置されており、背側リム面と足側風呂蓋の上面とが面一となっているので、背側風呂蓋を背側リム面から足側風呂蓋の上面に円滑に移動させることができる。また、面一とすることにより、背側風呂蓋と足側風呂蓋とが重なり合うときに隙間が生じることがない。
以上のように、本発明の浴槽では、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
【００１４】
請求項２に記載の発明は、浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、前記足側風呂蓋は前記浴槽本体の前記足側リム面の一部に形成された段落ち部に配置され前記段落ち部に配置された状態で前記足側風呂蓋の一部分が前記足側リム面上から突出しており、前記背側風呂蓋には、入浴者の頭部を外部に出すための切欠部が形成されているとともに、前記背側風呂蓋が前記足側風呂蓋上をスライドするときに前記足側風呂蓋の前記足側リム面上から突出した突出部分を収納する収納部が形成されていることを特徴とする。
【００１５】
請求項２に記載の発明によれば、入浴者は、足側風呂蓋を段落ち部に配置するとともに背側風呂蓋を背側リム面上に配置し、自らの頭部は切欠部から外部に出した状態で半身浴を楽しむことになる。これにより、入浴者の首部及び頭部は浴槽本体の外部に露出させることができる。
ところで、たとえば半身浴が終了し入浴者が浴槽本体から出るときには、自らの手で背側風呂蓋を押して足側風呂蓋の上面上をスライドさせる。このとき、足側風呂蓋が段落ち部に配置されて足側風呂蓋の一部が足側リム面上から突出しているが、スライド時には背側風呂蓋に形成された収納部に突出した突出部分が収納されていく。このため、背側風呂蓋を背側リム面から足側風呂蓋の上面に円滑に移動させることができる。
以上のように、本発明の浴槽では、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
【００１６】
請求項３に記載の発明は、浴槽本体の背側に位置する背側リム面上に配置させる背側風呂蓋と前記浴槽本体の足側に位置する足側リム面上に配置される足側風呂蓋とで構成された風呂蓋を有し、前記背側風呂蓋の端部と前記足側風呂蓋の端部とが重なり前記浴槽本体の開口部を覆う浴槽であって、前記足側風呂蓋には、前記浴槽本体の前記足側リム面の一部に設けられた複数の突部が入り込み当該足側風呂蓋を位置決めする位置決め孔が形成され、前記背側風呂蓋には、入浴者の頭部を外部に出すための切欠部が形成されているとともに、前記背側風呂蓋が前記足側風呂蓋上をスライドするときに前記足側風呂蓋を収納する収納部が形成されていることを特徴とする。
【００１７】
請求項３に記載の発明によれば、入浴者は、足側風呂蓋を浴槽本体の足側リム面上に配置するとともに背側風呂蓋を背側リム面上に配置し、自らの頭部は切欠部から外部に出した状態で半身浴を楽しむことになる。これにより、入浴者の首部及び頭部は浴槽本体の外部に露出させることができる。
ところで、たとえば半身浴が終了し入浴者が浴槽本体から出るときには、自らの手で背側風呂蓋を押して足側風呂蓋の上面上をスライドさせる。このとき、足側風呂蓋が足側リム面上から突出しているが、スライド時には背側風呂蓋に形成された収納部に足側風呂蓋が収納されていく。このため、背側風呂蓋を背側リム面から足側風呂蓋の上面に円滑にスライド移動させることができる。また、足側風呂蓋の位置決め孔に突部が入り込んでいるため、背側風呂蓋のスライド移動時に足側風呂蓋が連れ動きすることを防止できる。
以上のように、本発明の浴槽では、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
なお、本明細書において、「位置決め孔」とは、例えば円孔、角孔などでもよく、またいわゆる切欠き状に形成されているものも含めた概念である。
【００１８】
請求項４に記載の発明は、請求項１又は２に記載の浴槽において、前記足側風呂蓋は、前記段落ち部の一側面と接触し前記浴槽本体の長手方向の移動が規制されていることを特徴とする。
【００１９】
請求項４に記載の発明によれば、段落ち部に配置されている足側風呂蓋が段落ち部の一側面と接触し、足側風呂蓋の浴槽本体の長手方向への移動が規制されているため、背側風呂蓋が足側風呂蓋の上面をスライドする際に足側風呂蓋が連れ動きすることがない。
【００２０】
請求項５に記載の発明は、請求項１乃至４のいずれか１項に記載の浴槽において、前記背側風呂蓋の端部が前記足側風呂蓋の端部と重なり前記浴槽本体の開口部を覆った状態において、前記切欠部は前記浴槽本体の前記背側リム面上に位置することを特徴とする。
【００２１】
請求項５に記載の発明によれば、背側風呂蓋が足側風呂蓋の端部と重なり浴槽本体の開口部を覆った状態において、切欠部は浴槽本体の背側リム面上に位置しているため、浴槽本体の開口部を完全に覆うことができる。これにより、入浴者がいない場合に、浴槽本体に貯溜された湯の温度低下を極力防止することができる。
【００２２】
請求項６に記載の発明は、請求項５に記載の浴槽において、前記浴槽本体の前記背側リム面上であって前記背側風呂蓋の端部が前記足側風呂蓋の端部と重なり前記浴槽本体の開口部を覆った状態において前記切欠部が位置する部位には、入浴者の頭部を支持するヘッドレストが配置されており、前記切欠部の幅方向の寸法が前記ヘッドレストの幅方向の寸法以上に設定されていることを特徴とする。
【００２３】
請求項６に記載の発明によれば、浴槽本体の背側リム面上であって背側風呂蓋が足側風呂蓋の端部と重なり浴槽本体の開口部を覆った状態において切欠部が位置する部位には、入浴者の頭部を支持するヘッドレストが配置されているが、切欠部の幅方向の寸法がヘッドレストの幅方向の寸法以上に設定されているため、浴槽本体の開口部を覆う際にヘッドレストが切欠部に進入することが可能となる。この結果、浴槽本体の開口部を覆う際に、ヘッドレストが邪魔になることがない。特に、切欠部の幅方向の寸法とヘッドレストの幅方向の寸法とを同一にすることにより、余分な隙間を排除することができるため、意匠性を高めることができる。
【００２４】
請求項７に記載の発明は、請求項６に記載の浴槽において、前記ヘッドレストが前記背側風呂蓋の前記切欠部に進入し前記切欠部の幅方向に延びる内面と接触したときに、前記背側風呂蓋の端部が前記足側風呂蓋の端部と重なり前記浴槽本体の開口部を覆った状態になることを特徴とする。
【００２５】
請求項７に記載の発明によれば、ヘッドレストが背側風呂蓋の切欠部に進入し切欠部の幅方向に延びる内面と接触したときに、背側風呂蓋の端部が足側風呂蓋の端部と重なり浴槽本体の開口部を覆った状態になるため、ヘッドレストにいわゆるストッパーとしての機能をもたせることができるため、容易に全閉状態を知ることができる。
【００２６】
請求項８に記載の発明は、浴槽本体の背側に位置する背側リム面上に配置させる背側風呂蓋と前記浴槽本体の足側に位置する足側リム面上に配置される足側風呂蓋とで構成され、前記背側風呂蓋の端部と前記足側風呂蓋の端部とが重なり前記浴槽本体の開口部を覆う風呂蓋であって、前記背側風呂蓋は、該背側風呂蓋の長手方向に沿って複数個に分割されており、分割された前記各分割部が所定の角度の範囲で回転可能となるように各分割部同士が軟質部材で接続されており、かつ長手方向の一方の端部に位置する前記分割部には入浴者の頭部を外部に出すための切欠部が形成されており、前記足側風呂蓋は、前記浴槽本体の前記足側リム面に設けられた上方へ膨出する膨出部を覆うために湾曲させた湾曲部を有していることを特徴とする。
【００２７】
請求項８に記載の発明によれば、足側風呂蓋が浴槽本体の足側リム面上に配置され、背側風呂蓋が浴槽本体の背側リム面上に配置され、両方の端部が重なり合って浴槽本体の開口部を覆うことになる。入浴者は浴槽本体の開口部に入り首部を切欠部に通して頭部を外部に露出させた状態で半身浴を行うことになる。半身浴時に本などを読もうとする場合には、入浴者は浴槽本体の開口部にある手を外部に出すために背側風呂蓋を押す。手で押された背側風呂蓋は足側風呂蓋の上面をスライドしていき、やがて湾曲部に接触する。
ここで、背側風呂蓋は長手方向に複数個に分割された各分割部が互いに軟質部材で接続されているので、背側風呂蓋の端部に位置する分割部が湾曲部と接触しさらにそのまま背側風呂蓋を押し続けると、この分割部が軟質部材を中心として所定の角度だけ回転する。すなわち、軟質部材を基点として湾曲部と接触した分割部が隣接する他の分割部側に所定の角度だけ折れ曲がるようになる。このとき、背側風呂蓋は足側風呂蓋に対して停止し、この状態で入浴者は手を外部に出して半身浴をしながら自由に本を手にとり読むことができる。
以上のように、本発明の風呂蓋は、背側風呂蓋が長手方向に複数個に分割された各分割部と各分割部同士を接続する軟質部材とで構成されているため、背側風呂蓋が湾曲部を有する足側風呂蓋の上面をスライドさせた場合でも、各分割部が軟質部材を基点に所定の角度だけ折れ曲がるため、足側風呂蓋上に位置する背側風呂蓋がそのまま停止状態を保つことができ、入浴者側に戻ってくることがない。この結果、入浴者に恐怖感を与えることを防止できる。また、足側風呂蓋に湾曲部があっても各分割部が所定の角度だけ折れ曲がるだけであるため、入浴者に圧迫感を与えることもない。
【００２８】
請求項９に記載の発明は、請求項８に記載の風呂蓋において、前記切欠部が形成された前記分割部に対して長手方向反対側の端部に位置する分割部と当該分割部に隣接する他の分割部とは、前記各分割部の肉厚方向の一方側に位置し相互に向かい合う角部同士が前記軟質部材によって接続されていることを特徴とする。
【００２９】
請求項９に記載の発明によれば、切欠部が形成された分割部に対して長手方向反対側の端部に位置する分割部と当該分割部に隣接する他の分割部とは、各分割部の肉厚方向の一方側に位置し相互に向かい合う角部同士が軟質部材によって接続されているため、この軟質部材が上側（浴槽の開口部側と反対側）に位置するように背側風呂蓋を浴槽本体の背側リム面上に配置させた場合には、切欠部が形成された分割部と反対側の端部に位置する分割部の回転角度を大きくとることができる。これにより、足側風呂蓋の湾曲部の傾斜が大きい場合でも、足側風呂蓋上に位置する背側風呂蓋の停止状態を保つことができ入浴者に恐怖感を与えることを防止できるとともに、入浴者に圧迫感を与えることがない。
【００３０】
請求項１０に記載の発明は、請求項９に記載の風呂蓋において、前記切欠部が形成された前記分割部に対して長手方向反対側の端部に位置する分割部と当該分割部に隣接する他の分割部の相互に向かい合う各側面は、当該各側面の離間寸法が前記軟質部材で接続されている角部から前記肉厚方向に沿って遠ざかるにつれて大きくなるように、それぞれ傾斜していることを特徴とする。
【００３１】
請求項１０に記載の発明によれば、切欠部が形成された分割部に対して長手方向反対側の端部に位置する分割部と当該分割部に隣接する他の分割部の相互に向かい合う各側面は、各側面の離間寸法が軟質部材で接続されている角部から前記肉厚方向に沿って遠ざかるにつれて大きくなるように、それぞれ傾斜しているため、前記軟質部材が下側（浴槽の開口部側）に位置するように背側風呂蓋を浴槽本体の背側リム面上に配置させた場合でも、切欠部が形成された分割部の長手方向反対側の端部に位置する分割部の回転角度を大きくとることができる。これにより、足側風呂蓋の湾曲部の傾斜が大きい場合でも、足側風呂蓋上に位置する背側風呂蓋の停止状態を保つことができ入浴者に恐怖感を与えることを防止できるとともに、入浴者に圧迫感を与えることがない。
【００３２】
請求項１１に記載の発明は、請求項９又は１０に記載の風呂蓋において、前記切欠部が形成された前記分割部に対して長手方向反対側の端部に位置する分割部が前記足側風呂蓋の前記湾曲部に接触して回転するときに、回転する前記分割部と隣接する他の分割部の少なくとも一部が前記足側風呂蓋の少なくとも一部と重なることを特徴とする。
【００３３】
請求項１１に記載の発明によれば、切欠部が形成された分割部に対して長手方向反対側の端部に位置する分割部が足側風呂蓋の湾曲部に接触して回転するときに、回転する分割部と隣接する他の分割部の少なくとも一部が足側風呂蓋の少なくとも一部と重なるため、分割部が回転することにより足側風呂蓋との間に隙間が生じることがない。この結果、浴槽本体の開口部の熱が外部に逃げていくのを防止することができる。
【００３４】
請求項１２に記載の発明は、請求項８乃至１１のいずれか１項に記載の風呂蓋において、前記切欠部が形成された前記分割部と当該分割部に隣接する他の分割部とは、前記各分割部の肉厚方向の一方側に位置し相互に向かい合う角部同士が前記軟質部材によって接続されており、前記切欠部が形成された前記分割部が前記軟質部材を基点として所定の角度回転させたときに露出する前記分割部の下面に凹部が形成されており、前記凹部の内部には入浴者と前記背側風呂蓋との間に位置する前記浴槽本体の開口部を覆う覆い部材が取り付けられる取付部が設けられていることを特徴とする。
【００３５】
請求項１２に記載の発明によれば、軟質部材が上側（浴槽の開口部側と反対側）に位置するように背側風呂蓋を浴槽本体の背側リム面上に配置する。たとえば入浴者が本を読む場合には手を浴槽本体の外部に出す必要があるが、このとき、背側風呂蓋を手で押し足側風呂蓋上をスライドさせる。背側風呂蓋をスライドさせるとスライドさせた分だけ浴槽本体の開口部が露出するが、浴槽本体内部の熱が外部に逃げていくのを防止するために露出した開口部を覆い部材で覆うことが必要となる。このとき、切欠部が形成された分割部を軟質部材を基点として所定の角度（例えば１８０度）回転させることにより、分割部の下面（背側リム面上に配置されたときに浴槽の開口部側を向いた面）が外部に露出するとともにその下面に形成された凹部も外部に露出する。この凹部に設けられた取付部に覆い部材の一端を取り付けることにより背側風呂蓋のスライドにより露出した開口部を覆うことができる。
以上のように、本発明の風呂蓋によれば、凹部の内部に取付部を設けているため、取付部が背側風呂蓋の表面から突出することがなく、取付部の破損を防止することができるとともに、風呂蓋の収納時に取付部により浴室の壁に傷をつけることがない。
また、切欠部が形成された分割部を軟質部材を基点として所定の角度回転させたときに初めて凹部が露出するようになるが、所定の角度回転させない状態では凹部が浴槽の開口部側を向く状態となっている。このため、凹部に水などが溜まらず、衛生面の悪化を防止することができるとともに、凹部にカビなどが発生することを防止できる。
さらに、切欠部が形成された分割部を軟質部材を基点として所定の角度（たとえば１８０度）回転させた状態で覆い部材を取り付けるため、隣接する他の分割部上に切欠部が位置することになる。この結果、切欠部による隙間を埋めることができ、浴槽本体の開口部の熱が切欠部を通って外部に逃げていくのを防止することができる。
【００３６】
請求項１３に記載の発明は、請求項１２に記載の風呂蓋において、前記切欠部が形成された前記分割部の幅方向に沿って測定した幅方向寸法が当該分割部の先端部に近づくにつれて小さくなるように設定されていることを特徴とする。
【００３７】
請求項１３に記載の発明によれば、切欠部が形成された分割部の幅方向に沿って測定した幅方向寸法が分割部の先端部に近づくにつれて小さくなるように設定されている。すなわち、切欠部が形成された分割部がいわゆる先細り状態となっている。このため、切欠部が形成された分割部を軟質部材を基点として回転させる場合に、浴室の壁面に取り付けられた取手など壁面から出っ張った部材との接触をできるだけ回避することができる。
【００３８】
【発明の実施の形態】
次に、本発明の第１実施形態の浴槽について、図面を参照して説明する。図１は、本実施形態の浴槽を示した平面図である。
【００３９】
図１及び図２に示すように、本実施形態の浴槽１０は、風呂蓋１２を備えている。この風呂蓋１２は、浴槽本体１４の背側（図１中矢印Ａ方向）に位置する背側リム面２０Ａに配置される背側風呂蓋１２Ａと、浴槽本体１４の足側（図１中矢印Ｂ方向）に位置する足側リム面２０Ｂに配置される足側風呂蓋１２Ｂとからなる２つの部材で構成されている。
なお、本明細書において、「背側リム面」及び「足側リム面」とは、浴槽本体１４の長手方向と直交する方向を基準線ｇとして浴槽本体１４のリム面をその長手方向に分離して、この基準線ｇから背側（図１中矢印Ａ方向）に位置するリム面を背側リム面とし、この基準線ｇから足側（図１中矢印Ｂ方向）に位置するリム面を足側リム面とするものである。
具体的には、後述するように、本発明のように背側風呂蓋１２Ａの端部と足側風呂蓋１２Ｂの端部とが重なり合って浴槽本体１４の開口部１６を閉塞し、足側風呂蓋１２Ｂが段落ち部１８に配置される形態では、段落ち部１８の終端面１８Ｓを通る基準線ｇを基準として浴槽本体１４の背側にあるリム面を背側リム面２０Ａといい、浴槽本体１４の足側にあるリム面を足側リム面２０Ｂという。
【００４０】
また、背側風呂蓋１２Ａは、略長方形状となるように形成されており、プラスチックで構成されている。なお、プラスチックに限ることはなく、木製や複合材料で構成されたものでもよい。この背側風呂蓋１２Ａの長手方向の一方の端部には、入浴者の頭部を外部に出すための切欠部２２が形成されている。入浴者は、この切欠部２２に首部を通して頭部を浴槽本体１４の外部に出すことができる。
【００４１】
また、足側風呂蓋１２Ｂは、略長方形状となるように形成されており、プラスチックで構成されている。なお、背側風呂蓋１２Ａと同様に、プラスチックに限ることはなく、木製や複合材料で構成されたものでもよい。
【００４２】
図１及び図２に示すように、前記した背側風呂蓋１２Ａと足側風呂蓋１２Ｂとが背側リム面２０Ａ上と足側リム面２０Ｂ上とにそれぞれ配置され、両者の端部が後述の浴槽本体１４の長手方向（長辺方向、図１中矢印Ｘ方向）の略中心で重なり合う状態で、浴槽本体１４の開口部１６を閉塞することになる。また、浴槽本体１４の開口部１６を覆った状態において、背側風呂蓋１２Ａの切欠部２２が浴槽本体１４の短辺方向（図１中矢印Ｙ方向）に延びる背側リム面２０Ａ上に位置するように設定されているため、切欠部２２から浴槽本体内部の熱が外部に逃げてしまうことがない。
【００４３】
一方、図１乃至図３に示すように、浴槽本体１４は、内部に湯などを貯溜する開口部１６を備えている。浴槽本体１４の足側リム面２０Ｂ上に位置する開口縁には、段落ち部１８が形成されている。この段落ち部１８には足側風呂蓋１２Ｂが配置されるようになっている。この段落ち部１８の深さは、足側風呂蓋１２Ｂが段落ち部１８に配置されたときに、足側風呂蓋１２Ｂの上面が背側リム面２０Ａと面一となるように、足側風呂蓋１２Ｂの肉厚寸法と同様の寸法に設定されている。また、浴槽本体１４の開口部１６の内側寸法（図３（Ｂ）中Ｗ参照）は足側風呂蓋１２Ｂの幅方向寸法よりも短くなるように設定されており、段落ち部１８の終端面１８Ｓが段落ち部１８に配置された足側風呂蓋１２Ｂの端面と接触するため、足側風呂蓋１２Ｂが浴槽本体１４の長手方向に沿って移動することがない。
【００４４】
また、図１及び図２に示すように、浴槽本体１４の短辺方向の背側リム面２０Ａ上には、入浴者の頭部を支持するヘッドレスト２６が設けられている。すなわち、背側風呂蓋１２Ａの端部と足側風呂蓋１２Ｂの端部とが重なり合い浴槽本体１４の開口部１６を閉塞する状態において、背側風呂蓋１２Ａの切欠部２２が浴槽本体１４の短辺方向の背側リム面２０Ａ上に位置するが、このときヘッドレスト２６が切欠部２２に入り込める位置にヘッドレスト２６が設けられている。
【００４５】
ここで、図１に示すように、背側風呂蓋１２Ａに形成された切欠部２２の幅方向寸法（図１中Ｓ参照）は、ヘッドレスト２６の幅方向寸法（図１中Ｔ参照）以上となるように設定されている。これにより、背側風呂蓋１２Ａの端部と足側風呂蓋１２Ｂの端部とが重なり合い浴槽本体１４の開口部１６を閉塞する状態において、ヘッドレスト２６が切欠部２２に入り込むことができる。また、切欠部２２の奥行き方向寸法（図１中Ｕ参照）は、切欠部２２の幅方向に延びる内面２２Ａがヘッドレスト２６に接触したときに背側風呂蓋１２Ａの端部と足側風呂蓋１２Ｂの端部とが重なり合い浴槽本体１４の開口部１６を閉塞するように、設定されている。これにより、ヘッドレスト２６をストッパーとしても用いることができ、ヘッドレスト２６に接触した時点で全閉状態を認知することができる。
【００４６】
次に、本実施形態の浴槽１０の作用及び効果について詳細に説明する。
【００４７】
図１及び図２（Ａ）に示すように、風呂蓋１２が浴槽本体１４の開口部１６を閉塞する状態では、背側風呂蓋１２Ａが浴槽本体１４の背側リム面２０Ａ上に配置されるとともに、足側風呂蓋１２Ｂが浴槽本体１４の足側リム面２０Ｂに形成された段落ち部１８に配置されている。このとき、背側風呂蓋１２Ａの端部が足側風呂蓋１２Ｂの端部の上に位置しており、両者が重なり合った状態となっている。
また、背側風呂蓋１２Ａの切欠部２２は浴槽本体１４の短辺方向に延びる背側リム面２０Ａ上に位置しており、切欠部２２を形成したことにより開口部１６の一部に隙間が生じることはない。
また、足側風呂蓋１２Ｂが段落ち部１８に配置された状態で足側風呂蓋１２Ｂと浴槽本体１４の背側リム面２０Ａとが面一となっているため、背側風呂蓋１２Ａが足側風呂蓋１２Ｂと重なり合った状態でも隙間が生じることがない。
このように、風呂蓋１２により浴槽本体１４の開口部１６を全閉状態とすることができ、入浴者がいない場合に浴槽本体１４に貯溜された湯の温度低下を極力防止することができる。
なお、前述したように、浴槽本体１４にはヘッドレスト２６が設けられているが、背側風呂蓋１２Ａに形成された切欠部２２の幅方向寸法（図１中Ｓ参照）は、ヘッドレスト２６の幅方向寸法（図１中Ｔ参照）以上となるように設定されているため、全閉状態においてヘッドレスト２６が切欠部２２に入り込むことができ、ヘッドレスト２６が邪魔になることがない。
【００４８】
一方、図２（Ｂ）に示すように、入浴者が半身浴をするときには、背側風呂蓋１２Ａを浴槽本体１４の内部から押し足側風呂蓋側に移動させることにより、切欠部２２が浴槽本体１４の開口部１６上に位置し、入浴者はこの切欠部２に首部を通して頭部を浴槽本体１４の外部に出すことができる。このように、半身浴時には、入浴者の頭部及び顔部を外部に露出しているだけで、他の部分では浴槽本体１４の開口部１６が閉塞された状態となっているので、浴槽本体１６の内部の熱が外部に逃げることを極力防止でき半身浴効果が低下することを防止できる。また、足側風呂蓋１２Ｂが段落ち部１８に配置された状態で足側風呂蓋１２Ｂと浴槽本体１４の背側リム面２０Ａとが面一となっているため、背側風呂蓋１２Ａを背側リム面２０Ａ上から足側風呂蓋１２Ｂ上に円滑に移動させることができる。
さらに、図３に示すように、段落ち部１８に配置された足側風呂蓋１２Ｂの端面が段落ち部１８の終端面１８Ｓと接触しているため、足側風呂蓋１２Ｂの浴槽本体長手方向の移動が規制される。この結果、背側風呂蓋１２Ａが足側風呂蓋１２Ｂの上面を移動する場合において、足側風呂蓋１２Ｂが連れ動きすることを防止でき、あらたな隙間が生じてしまうことを防止できる。
【００４９】
また、図２（Ｃ）に示すように、半身浴が終了したときには、入浴者が手で背側風呂蓋１２Ａを足側風呂蓋１２Ｂ側に押す。背側風呂蓋１２Ａが手で押されると、背側リム面２０Ａ上をさらに滑って足側風呂蓋１２Ｂの上面を移動する。背側風呂蓋１２Ａ全体が足側風呂蓋１２Ｂ上に位置することにより、入浴者が出入りできる隙間が形成され、この隙間から入浴者が浴槽本体１４の外部に出ることができる。
【００５０】
次に、本発明の第２実施形態に係る浴槽について説明する。
なお、第１実施形態に係る浴槽１０と共通する構成の説明は適宜省略する。
【００５１】
図４（Ａ）、（Ｂ）に示すように、本実施形態の浴槽５０は、背側風呂蓋５２Ａと足側風呂蓋５２Ｂとで構成された風呂蓋５２を備えている。また、背側風呂蓋５２Ａと足側風呂蓋５２Ｂとが配置される浴槽本体５４を備えている。
【００５２】
ここで、浴槽本体５４の足側リム面５６Ｂ上であって開口部５８の開口縁には足側風呂蓋５２Ｂが配置される段落ち部６０が形成されているが、この段落ち部６０の深さは足側風呂蓋５２Ｂが配置された状態で足側風呂蓋５２Ｂの上部が足側リム面５６Ｂから突出するような寸法に設定されている。
【００５３】
また、背側風呂蓋６２Ａには、足側リム面５６Ｂ上から突出した足側風呂蓋５２Ｂの突出部分を収納する収納孔（収納部）６２が形成されている。このように、本実施形態では、背側風呂蓋５２Ａがいわゆる門型に形成されている。
【００５４】
以上のように、本実施形態の浴槽５０においても、第１実施形態の浴槽１０と同様にして、風呂蓋５２の部品点数を抑制し、風呂蓋５２を特殊な構造とすることもないので製造コストの増加を防止できる。また、従来のはね上げ式の風呂蓋（図１８参照）を用いる場合と異なり風呂蓋５２が半身浴時において入浴者に圧迫感などの悪影響を及ぼすこともない。さらに、従来のスライド式の風呂蓋（図２０参照）と異なり、構成が複雑とならないため清掃がし易くなり、衛生面的にも良好なものとなる。
【００５５】
次に、本発明の第３実施形態に係る浴槽について説明する。
なお、第１実施形態に係る浴槽１０と共通する構成の説明は適宜省略する。
【００５６】
図５（Ａ）、（Ｂ）に示すように、本実施形態の浴槽７０は、背側風呂蓋７２Ａと足側風呂蓋７２Ｂとで構成された風呂蓋７２を備えている。また、背側風呂蓋７２Ａと足側風呂蓋７２Ｂとが配置される浴槽本体７４を備えている。
【００５７】
ここで、本実施形態の浴槽本体７４には段落ち部が形成されていない。また、浴槽本体７４の足側リム面８２Ｂ上に４つのピン７６（突部）が取り付けられている。一方、足側風呂蓋７２Ｂの４つの角部には、前記ピン７６が入り込む位置決め孔７８が形成されている。また、背側風呂蓋７２Ａには、スライド時に足側風呂蓋７２Ｂを収納する収納孔（収納部）８０が形成されている。
【００５８】
本実施形態の浴槽７０によれば、特に浴槽本体７４に段落ち部が形成されていないが、足側風呂蓋７２Ｂがピン７６により位置決めされるため、背側風呂蓋７２Ａが足側風呂蓋７２Ｂの上面を移動するときに足側風呂蓋７２Ｂが連れ動きしない。また、風呂蓋７２の部品点数が増加ことなく、風呂蓋７２を特殊な構造とすることもないので製造コストの増加を防止することができるとともに、従来のはね上げ式の風呂蓋（図１８参照）を用いる場合と異なり風呂蓋７２が半身浴時において入浴者に圧迫感などの悪影響を及ぼすこともない。さらに、従来のスライド式の風呂蓋（図２０参照）と異なり、構成が複雑とならず、清掃がし易くなり、衛生面的にも良好なものとなる。
【００５９】
なお、ピン７６の配置位置や本数は本実施形態のものに限ることはなく、足側風呂蓋７２Ｂが連れ動きしなければ、ピン７６をどの位置に何本取り付けるかは問わない。
【００６０】
また、図６に示すように、第１実施形態の浴槽１０は、リム面を傾斜させた浴槽本体９０にも適用することができる。
【００６１】
さらに、図示しないが、足側リム面の一部が上方に膨出する形態の浴槽本体に適用する場合には、足側風呂蓋の一部も前記膨出部に沿うように湾曲させる必要があるが、このとき、背側風呂蓋が背側リム面から円滑に足側風呂蓋上面にスライドできかつ背側風呂蓋が湾曲部と接触するときに背側風呂蓋が持ち上がらないように足側風呂蓋に背側リム面と面一に接続できるような水平面を形成していることが好ましい。
【００６２】
次に、本発明の第４実施形態に係る浴槽について説明する。
なお、第１実施形態の浴槽１０と同様の構成の説明は適宜省略する。
【００６３】
図７、図８及び図１４に示すように、本実施形態の浴槽１００は、浴槽本体１０２を備えている。この浴槽本体１０２の足側端部近傍には、浴槽本体１０２の開口部１０４をサウナ空間とする蒸気発生装置１０６が配置されている。また、蒸気装置１０６の上部には吐出口１０８が設けられている。これにより、蒸気装置１０６により加熱された水が温水となり、これを蒸気としてファン（図示省略）の圧力などにより吐出口１０８から浴槽本体１０２の開口部１０４に吐き出される。
【００６４】
ここで、浴槽本体１０２の足側リム面１１８Ｂの一部には、吐出口１０８を囲むように上方へ向かって膨出した膨出部１１０が形成されている。このように、吐出口１０８は、浴槽本体１０２の両側に形成された膨出部１１０の間に位置した構成となっている。
なお、この膨出部１１０は、浴槽本体１０２と一体形成されていてもよく、また別途製造したものを足側リム面１１８Ｂに取り付けてもよい。
【００６５】
また、浴槽本体１０２の足側リム面１１８Ｂ上であって開口縁には、後述する足側風呂蓋１１２Ｂを配置させるための段落ち部１１４が形成されている。この段落ち部１１４は足側リム面１１８Ｂの水平面から膨出部１１０の傾斜面に亘って形成されている。足側リム面１１８Ｂの水平面に位置する段落ち部１１４の深さは、足側風呂蓋１１２Ｂの肉厚と同じ寸法に設定されており、段落ち部１１４に配置された状態で足側風呂蓋１１２Ｂの上面と背側リム面１１８Ａとが面一となるように構成されている。一方、浴槽本体１０２の短辺方向に延びる背側リム面１１８Ａには入浴者の頭部を支持するヘッドレスト１１６が設けられている。
【００６６】
一方、図９及び図１０に示すように、本実施形態の浴槽１００は、風呂蓋１１２を備えている。この風呂蓋１１２は、浴槽本体１０２の背側に位置する背側リム面１１８Ａに配置される背側風呂蓋１１２Ａと、浴槽本体１０２の足側に位置する足側リム面１１８Ｂに配置される足側風呂蓋１１２Ｂとからなる２つの部材で構成されている。
なお、背側リム面１１８Ａと足側リム面１１８Ｂの意義は、第１実施形態の浴槽１０で示した意義と同様である。
【００６７】
図７、図８及び図１０に示すように、足側風呂蓋１１２Ｂは、足側リム面１１８Ｂに形成された膨出部１１０に沿うように湾曲した湾曲部１２０を備えている。また、足側風呂蓋１１２Ｂの湾曲部側の端部には手掛け部１２２が形成されており、入浴者などが段落ち部１１４に配置された足側風呂蓋１１２Ｂを浴槽本体１０２から取り外すときにこの手掛け部１２２を持って足側風呂蓋１１２Ｂを容易に取り外すことができる。このように、足側風呂蓋１１２Ｂが段落ち部１１４に配置された状態では、足側風呂蓋１１２Ｂの湾曲部側の端部が吐出口１０８の上面と接続するように構成されている。これにより、吐出口１０８から吐き出された蒸気が足側風呂蓋１１２Ｂの内面に当たって浴槽本体１０２の開口部１０４に誘導されるようになっている。
【００６８】
また、図７乃至図９に示すように、背側風呂蓋１１２Ａは、長手方向に沿って４つに分割された各分割部１３０Ａ、１３０Ｂ、１３０Ｃ、１３０Ｄと、各分割部１３０Ａ、１３０Ｂ、１３０Ｃ、１３０Ｄを接続する軟質部材１３２Ａ、１３２Ｂ、１３２Ｃとで構成されている。
ここで、軟質部材の一例をとって説明すると、図１１（Ｃ）に示すように、第１軟質部材１３２Ａは、接続されている第１分割部１３０Ａがこの第１軟質部材１３２Ａを基点として隣接する第２分割部１３０Ｂに折れ曲がることができる柔軟性のある材質で構成されている。
なお、本実施形態では、背側風呂蓋１１２Ａを４つに分割部１３０Ａ、１３０Ｂ、１３０Ｃ、１３０Ｄからなる構成を示したが、４分割に限る必要はなく、２分割以上されていればよい。
【００６９】
また、背側風呂蓋１１２Ａの長手方向の一方の端部に位置する分割部１３０Ａ（以下、本明細書において、適宜「第１分割部１３０Ａ」という。）には、入浴者の首部を通し頭部を外部に出すための切欠部１３２が形成されている。第１実施形態の浴槽１０と同様に、切欠部１３２の内面形状は、この内面と接触するヘッドレスト１１６の外面形状と同じ形状とされており、また切欠部１３２の各寸法もヘッドレスト１１６が切欠部１３２に入り込むことができ、かつ切欠部１３２の内面にヘッドレスト１１６が接触したときに浴槽本体１０２の開口部１０４を完全に閉塞することができるように設定されている。
また、図１２に示すように、第１分割部１３０Ａの下面（背側リム面１１８Ａに配置されたときに浴槽本体１０２の開口部側を向く面）には凹部１３８が形成されており、この凹部１３８の中には入浴者が手を外部に出すときに浴槽本体１０２の開口部１０４を覆う覆い部材１４０が取り付けられる取付片１４２が形成されている。
さらに、図９に示すように、第１分割部１３０Ａの幅方向（図９中矢印Ｖ方向）に沿って測定した幅方向寸法は、第１分割部１３０Ａの先端部に近づくにつれて小さくなるように設定されており、第１分割部１３０Ａを平面視した場合にいわゆる先細り形状となっている。
【００７０】
また、図９及び図１１（Ｃ）に示すように、第１分割部１３０Ａは、これと隣接する分割部１３０Ｂ（以下、本明細書において、適宜「第２分割部１３０Ｂ」という。）と軟質部材１３２Ａ（以下、本明細書において、適宜「第１軟質部材１３２Ａ」という。）で接続されているが、第１分割部１３０Ａと第２分割部１３０Ｂとの接続は、各分割部１３０Ａ、１３０Ｂの肉厚方向の一方側（凹部１３８が形成されている側と反対側）に位置しかつ相互に向かい合う角部同士が第１軟質部材１３２Ａによって接続されている。
また、図９及び図１１（Ｂ）に示すように、第２分割部１３０Ｂは、これと隣接する分割部１３０Ｃ（以下、本明細書において、適宜「第３分割部１３０Ｃ」という。）と軟質部材１３２Ｂ（以下、本明細書において、適宜「第２軟質部材１３２Ｂ」という。）で接続されている。この第２分割部１３０Ｂと第３分割部１３０Ｃとの接続は、各分割部１３０Ｂ、１３０Ｃの肉厚方向の他方側（第１分割部１３０Ｂの角部と反対側）に位置しかつ相互に向かい合う角部同士が第２軟質部材１３２Ｂによって接続されている。
さらに、第３分割部１３０Ｃは、これと隣接する分割部１３０Ｄ（以下、本明細書において、適宜「第４分割部１３０Ｄ」という。）と軟質部材１３２Ｃ（以下、本明細書において、適宜「第３軟質部材１３２Ｃ」という。）で接続されている。この第３分割部１３０Ｃと第４分割部１３０Ｄとの接続は、第２分割部１３０Ｂと第３分割部１３０Ｃとの接続と同様に、各分割部１３０Ｃ、１３０Ｄの肉厚方向の他方側（第１分割部１３０Ｂの角部と反対側）に位置しかつ相互に向かい合う角部同士が第３軟質部材１３２Ｃによって接続されている。
以上のように、第１軟質部材１３２Ａだけが、他の第２軟質部材１３２Ｂ及び第３軟質部材１３２Ｃが接続している角部と肉厚方向反対側の角部に接続されている。
なお、第４分割部１３０Ｄの端部には手掛け部１４４が取り付けられている。
【００７１】
また、図１１（Ｂ）に示すように、第３分割部１３０Ｃとこの第３分割部１３０Ｃに隣接する第２分割部１３０Ｂの相互に向かい合う各側面は、当該各側面の離間寸法が第２軟質部材１３２Ｂで接続されている角部から肉厚方向に沿って遠ざかるにつれて大きくなるように、それぞれ傾斜している。このように、各側面にテーパーを付けることにより、回転角度を大きくすることができる。
また、図示しないが、第４分割部１３０Ｄとこの第４分割部１３０Ｄに隣接する第３分割部１３０Ｃの相互に向かい合う各側面も同様に、当該各側面の離間寸法が第３軟質部材１３２Ｃで接続されている角部から肉厚方向に沿って遠ざかるにつれて大きくなるように、それぞれ傾斜している。
【００７２】
さらに、図１３に示すように、第４分割部１３０Ｄが足側風呂蓋１１２Ｂの湾曲部１２０に接触して第３軟質部材１３２Ｃを基点に回転するときに、第４分割部１３０Ｄと隣接する第３分割部１３０Ｃの端部が足側風呂蓋１１２Ｂの端部と重なり合うように、第４分割部１３０Ｄの長手方向に沿った寸法が設定されている。
【００７３】
なお、上記した各軟質部材１３２Ａ、１３２Ｂ、１３２Ｃの位置関係は、前記位置関係に限られるものではなく、例えば、第４分割部１３０Ｄと第３分割部１３０Ｃとを接続する第３軟質部材１３２Ｃを、第１軟質部材１３２Ａと同様の位置、すなわち分割部の肉厚方向に沿って反対側の角部同士を接続するようにしてもよい。かかる位置の相対する角部同士を第３軟質部材１３２Ｃで接続し、この第３軟質部材１３２Ｃが上側に位置するように背側風呂蓋１１２Ａを背側リム面１１８Ａ上に配置することにより、第４分割部１３０Ｄの回転角度を大きくすることができるため、各側面にテーパーを付ける必要がなくなる。
また、図１１（Ａ）に示すように、各軟質部材１３６が各分割部１３４Ａ、１３４Ｂの相対する各側面の肉厚方向中央部をそれぞれ接続するようにしてもよい。
【００７４】
次に、本実施形態に係る浴槽１００の作用及び効果について詳細に説明する。なお、第１実施形態の浴槽１０と同様の作用及び効果については適宜省略する。
【００７５】
図１４に示すように、入浴者がいない場合には、足側風呂蓋１１２Ｂが足側リム面１１８Ｂ上の段落ち部１１４（図７参照）に配置されるとともに、背側風呂蓋１１２Ａが背側リム面１１８Ａ上に配置される。このとき、図９に示すように、背側風呂蓋１１２Ａは、第１軟質部材１３２Ａが上側に、第２軟質部材１３２Ｂ及び第３軟質部材１３２Ｃが下側に位置するように、配置される。浴槽本体１０２の開口部１０４（図７参照）が閉塞された状態で、背側風呂蓋１１２Ａの第４分割部１３０Ｄが足側風呂蓋１１２Ｂの端部上に位置しており両者が重なり合っている。また、背側風呂蓋１１２Ａの第１分割部１３０Ａに形成された切欠部１２２は、浴槽本体の短辺方向に延びる背側リム面１１８Ａ上に位置しているため、切欠部１２２により隙間が生じることはない。また、足側風呂蓋１１２Ｂは段落ち部１１４に配置されているが、足側風呂蓋１１２Ｂの肉厚と足側リム面１１８Ｂ上の段落ち部１１４の肉厚とは同じになるように設定されているため、足側風呂蓋１１２Ｂの上面と背側リム面１１８Ａとが面一となり、背側風呂蓋１１２Ａが足側風呂蓋１１２Ｂの上面に位置した状態でも、背側風呂蓋１１２Ａが浮くことはなく隙間が生じることがない。
以上のように、背側風呂蓋１１２Ａの一部と足側風呂蓋１１２Ｂの一部とが重なり合った状態で浴槽本体１０２の開口部１０４が閉塞されており、隙間が生じることがないので、浴槽本体１０２の開口部１０４に貯溜されている湯の温度低下を極力防止することができる。
【００７６】
図７に示すように、入浴者が手を浴槽本体１０２の内部に入れて半身浴を行う場合には、背側風呂蓋１１２Ａを足側風呂蓋側に押して背側風呂蓋１１２Ａをスライドさせ、切欠部１３２を浴槽本体１０２の開口部１０４上に位置させる。これにより、入浴者は、切欠部１３２に首部を通して頭部を浴槽本体１０２の外部に出すことができる。この状態でも入浴者は十分に半身浴を楽しむことができる。特に、切欠部１３２以外に隙間が生じている箇所がないので、浴槽本体１０２の内部の熱が外部にほとんど逃げることがなく、半身浴の効果を高めることができる。
【００７７】
ところで、入浴者が半身浴中に本などを読む場合、手を浴槽本体１０２の外部に出す必要がある。ここで、図７及び図１３に示すように、入浴者は、浴槽本体１０２の内部から背側風呂蓋１１２Ａを足側風呂蓋側に押す。背側風呂蓋１１２Ａを押していくと第４分割部１３０Ｄがやがて足側風呂蓋１１２Ｂの湾曲部１２０と接触する。さらに、背側風呂蓋１１２Ａを押していくと、第４分割部１３０Ｄが第３軟質部材１３２Ｃを基点として入浴者側に所定の角度だけ回転する。すなわち、第４分割部１３０Ｄが第３軟質部材１３２Ｃを中心に入浴者側に折れ曲がる。このとき、第４分割部１３０Ｄと第３分割部１３０Ｃとの相対する各側面に前述したテーパーが付けられているため、第４分割部１３０Ｄの回転角度を大きくすることができ、湾曲部１２０の傾斜が急な場合でも、背側風呂蓋１１２Ａが浮いてしまうことがない。また、第４分割部１３０Ｄが湾曲部１２０と接触し回転するときに第３分割部１３０Ｃがすでに足側風呂蓋１１２Ｂの上面に位置しているため、浴槽本体１０２の開口部１０４が露出するような隙間が生じることがなく、浴槽本体１０２の熱が逃げることがないので半身浴効果が低下することを防止できる。
さらに、図１５及び図１６に示すように、背側風呂蓋１１２Ａを押していくと、次に第３分割部１３０Ｃが湾曲部１２０と接触し、第３分割部１３０Ｃが第２軟質部材１３２Ｂを基点として入浴者側に所定の角度だけ回転する。すなわち、第３分割部１３０Ｃが第２軟質部材１３２Ｂを中心に入浴者側に折れ曲がる。このとき、背側風呂蓋１１２Ａを構成する第３分割部１３０Ｃと第４分割部１３０Ｄとが折れ曲がっているので、背側風呂蓋１１２Ａは足側風呂蓋１１２Ｂ上で静止することが可能となり、背側風呂蓋１１２Ａが入浴者側に戻ってくることがない。この結果、入浴者に恐怖感を与えることを防止できる。
また、背側風呂蓋１１２Ａが湾曲部１２０と接触しそのまま背側風呂蓋１１２Ａを押し続けても、第３分割部１３０Ｃと第４分割部１３０Ｄとが折れ曲がっているので、背側風呂蓋１１２Ａの第２分割部１３０Ｂなどが上方に浮いてしまうことがなく、入浴者に圧迫感を与えることを防止できる。
【００７８】
また、入浴者が背側風呂蓋１１２Ａを押し足側風呂蓋１１２Ｂの上面をスライドさせると、背側風呂蓋１１２Ａが移動した分だけ、浴槽本体１０２の開口部１０４が露出することになる。このため、浴槽本体内部の熱が外部に逃げ半身浴効果が低下することを防止するために、かかる開口部１０４を再び覆うことが必要となる。
ここで、図１２に示すように、第１軟質部材１３２Ａが上方に位置しているため、第１分割部１３０Ａを第１軟質部材１３２Ａを基点として第２分割部側に１８０度だけ回転させることができる。このとき、第１分割部１３０Ａが引っ繰り返されて第２分割部１３０Ｂの上面に載る状態となる。第１分割部１３０Ａを第１軟質部材１３２Ａを基点として第２分割部側に１８０度だけ回転させると、第１分割部１３０Ａに形成された凹部１３８が上面に露出する。入浴者は、覆い部材１４０を首にかけるとともに、覆い部材１４０の端部を凹部１３８の中に設けられた取付片１４２に引っ掛ける。これにより、背側風呂蓋１１２Ａの移動により露出した浴槽本体１０２の開口部１０４を閉塞することができ、入浴者は、半身浴効果を低下させずに、本を読みながら半身浴を楽しむことができる。
特に、図１６に示すように、第１分割部１３０Ａには切欠部１３２が形成されているが、第１分割部１３０Ａを第１軟質部材１３２Ａを基点として１８０度回転させると、切欠部１３２が第２分割部１３０Ｂの上面上に位置し切欠部１３２の隙間が閉じられた状態となる。このため、切欠部１３２を形成したことにより生じた隙間が塞がれる形になるため、浴槽本体内部の熱が外部に逃げてしまうことを防止できる。
なお、図１７に示すように、第１分割部１３０Ａがいわゆる先細り形状に形成されているため、第１分割部１３０Ａを第１軟質部材１３２Ａを基点として回転させるときに、浴室の壁面１５０に取り付けられた手摺り１５２などが第１分割部１３０Ａと接触してしまうことを極力防止でき、手摺り１５２などが取り付けられていても第１分割部１３０Ａの回転に支障が生じることがない。
【００７９】
また、図１２及び図１３に示すように、浴槽本体１０２の開口部１０４を閉塞する通常のときには第１分割部１３０Ａに形成された凹部１３８が浴槽本体１０２の開口部側に向いており、入浴者が第１分割部１３０Ａを回転させたときに上面に露出する構成としているため、凹部１３８の中に水が溜まることを防止できる。また、凹部１３８の中に取付片１４２が設けられているため、この取付片１４２が第１分割部１３０Ａの表面から突出することがない。このため、取付片１４２が破損しにくくなるとともに、背側風呂蓋１１２Ａを浴室の壁面などに収納するときに取付片１４２がその壁面に傷を付けてしまうことがない。
【００８０】
【発明の効果】
以上説明した本発明の浴槽においては以下の効果を奏する。
請求項１記載の発明は、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
【００８１】
請求項２記載の発明は、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
【００８２】
請求項３記載の発明は、風呂蓋の部品点数が増加するものではなくかつ風呂蓋を特殊な構造とすることもないので製造コストの増加を防止することができるとともに、従来のはね上げ式の風呂蓋を用いる場合と異なり風呂蓋が半身浴時において入浴者に圧迫感などの悪影響を及ぼすこともない。さらに、従来のスライド式の風呂蓋と異なり、構成が複雑とならず、清掃がし易くなり、衛生面的にも良好なものとなる。
【００８３】
請求項４記載の発明は、段落ち部に配置されている足側風呂蓋が段落ち部の一側面と接触し、足側風呂蓋の浴槽本体の長手方向への移動が規制されているため、背側風呂蓋が足側風呂蓋の上面をスライドする際に足側風呂蓋が連れ動きすることがない。
【００８４】
請求項５記載の発明は、背側風呂蓋が足側風呂蓋の端部と重なり浴槽本体の開口部を覆った状態において、切欠部は浴槽本体の背側リム面上に位置しているため、浴槽本体の開口部を完全に覆うことができる。これにより、入浴者がいない場合に、浴槽本体に貯溜された湯の温度低下を極力防止することができる。
【００８５】
請求項６記載の発明は、浴槽本体の背側リム面上であって背側風呂蓋が足側風呂蓋の端部と重なり浴槽本体の開口部を覆った状態において切欠部が位置する部位には、入浴者の頭部を支持するヘッドレストが配置されているが、切欠部の幅方向の寸法がヘッドレストの幅方向の寸法以上に設定されているため、浴槽本体の開口部を覆う際にヘッドレストが切欠部に進入することが可能となる。この結果、浴槽本体の開口部を覆う際に、ヘッドレストが邪魔になることがない。特に、切欠部の幅方向の寸法とヘッドレストの幅方向の寸法とを同一にすることにより、余分な隙間を排除することができるため、意匠性を高めることができる。
【００８６】
請求項７記載の発明は、ヘッドレストが背側風呂蓋の切欠部に進入し切欠部の幅方向に延びる内面と接触したときに、背側風呂蓋の端部が足側風呂蓋の端部と重なり浴槽本体の開口部を覆った状態になるため、ヘッドレストにいわゆるストッパーとしての機能をもたせることができるため、容易に全閉状態を知ることができる。
【００８７】
請求項８記載の発明は、背側風呂蓋が長手方向に複数個に分割された各分割部と各分割部同士を接続する軟質部材とで構成されているため、背側風呂蓋が湾曲部を有する足側風呂蓋の上面をスライドさせた場合でも、各分割部が軟質部材を基点に所定の角度だけ折れ曲がるため、足側風呂蓋上に位置する背側風呂蓋がそのまま停止状態を保つことができ、入浴者側に戻ってくることがない。この結果、入浴者に恐怖感を与えることを防止できる。また、足側風呂蓋に湾曲部があっても各分割部が所定の角度だけ折れ曲がるだけであるため、入浴者に圧迫感を与えることもない。
【００８８】
請求項９記載の発明は、切欠部が形成された分割部に対して長手方向反対側の端部に位置する分割部と当該分割部に隣接する他の分割部とは、各分割部の肉厚方向の一方側に位置し相互に向かい合う角部同士が軟質部材によって接続されているため、この軟質部材が上側（浴槽の開口部側と反対側）に位置するように背側風呂蓋を浴槽本体の背側リム面上に配置させた場合には、切欠部が形成された分割部と反対側の端部に位置する分割部の回転角度を大きくとることができる。これにより、足側風呂蓋の湾曲部の傾斜が大きい場合でも、足側風呂蓋上に位置する背側風呂蓋の停止状態を保つことができ入浴者に恐怖感を与えることを防止できるとともに、入浴者に圧迫感を与えることがない。
【００８９】
請求項１０記載の発明は、切欠部が形成された分割部に対して長手方向反対側の端部に位置する分割部と当該分割部に隣接する他の分割部の相互に向かい合う各側面は、各側面の離間寸法が軟質部材で接続されている角部から前記肉厚方向に沿って遠ざかるにつれて大きくなるように、それぞれ傾斜しているため、前記軟質部材が下側（浴槽の開口部側）に位置するように背側風呂蓋を浴槽本体の背側リム面上に配置させた場合でも、切欠部が形成された分割部の長手方向反対側の端部に位置する分割部の回転角度を大きくとることができる。これにより、足側風呂蓋の湾曲部の傾斜が大きい場合でも、足側風呂蓋上に位置する背側風呂蓋の停止状態を保つことができ入浴者に恐怖感を与えることを防止できるとともに、入浴者に圧迫感を与えることがない。
【００９０】
請求項１１記載の発明は、切欠部が形成された分割部に対して長手方向反対側の端部に位置する分割部が足側風呂蓋の湾曲部に接触して回転するときに、回転する分割部と隣接する他の分割部の少なくとも一部が足側風呂蓋の少なくとも一部と重なるため、分割部が回転することにより足側風呂蓋との間に隙間が生じることがない。この結果、浴槽本体の開口部の熱が外部に逃げていくのを防止することができる。
【００９１】
請求項１２記載の発明は、凹部の内部に取付部を設けているため、取付部が背側風呂蓋の表面から突出することがなく、取付部の破損を防止することができるとともに、風呂蓋の収納時に取付部により浴室の壁に傷をつけることがない。
また、切欠部が形成された分割部を軟質部材を基点として所定の角度回転させたときに初めて凹部が露出するようになるが、所定の角度回転させない状態では凹部が浴槽の開口部側を向く状態となっている。このため、凹部に水などが溜まらず、衛生面の悪化を防止することができるとともに、凹部にカビなどが発生することを防止できる。
さらに、切欠部が形成された分割部を軟質部材を基点として所定の角度（たとえば１８０度）回転させた状態で覆い部材を取り付けるため、隣接する他の分割部上に切欠部が位置することになる。この結果、切欠部による隙間を埋めることができ、浴槽本体の開口部の熱が切欠部を通って外部に逃げていくのを防止することができる。
【００９２】
請求項１３記載の発明は、切欠部が形成された分割部の幅方向に沿って測定した幅方向寸法が分割部の先端部に近づくにつれて小さくなるように設定されている。すなわち、切欠部が形成された分割部がいわゆる先細り状態となっている。このため、切欠部が形成された分割部を軟質部材を基点として回転させる場合に、浴室の壁面に取り付けられた取手などとの接触をできるだけ回避することができる。
【図面の簡単な説明】
【図１】本発明の第１実施形態に係る浴槽の平面図である。
【図２】本発明の第１実施形態に係る浴槽の作用図である。
【図３】（Ａ）は本発明の第１実施形態に係る浴槽を構成する浴槽本体の部分的な斜視図であり、（Ｂ）は第１実施形態に係る浴槽の部分的な平面図である。
【図４】（Ａ）は本発明の第２実施形態に係る浴槽をその長手方向に切断した断面図であり、（Ｂ）は第２実施形態に係る浴槽をその長手方向と直交する方向に切断した断面図である。
【図５】（Ａ）は本発明の第３実施形態に係る浴槽の平面図であり、（Ｂ）は第３実施形態に係る浴槽をその長手方向に切断した部分断面図である。
【図６】本発明の第１実施形態に係る浴槽の変形例である浴槽の断面図である。
【図７】本発明の第４実施形態に係る浴槽の一形態を長手方向に切断した断面図である。
【図８】本発明の第４実施形態に係る浴槽の一形態を長手方向に切断した断面図である。
【図９】（Ａ）は本発明の第４実施形態に係る浴槽を構成する背側風呂蓋の側面図であり、（Ｂ）は第４実施形態に係る浴槽を構成する背側風呂蓋の平面図である。
【図１０】（Ａ）は本発明の第４実施形態に係る浴槽を構成する足側風呂蓋の側面図であり、（Ｂ）は第４実施形態に係る浴槽を構成する足側風呂蓋の平面図である。
【図１１】本発明の第４実施形態に係る浴槽を構成する背側風呂蓋の一部分を拡大した側面図である。
【図１２】本発明の第４実施形態に係る浴槽を構成する背側風呂蓋の第１分割部の作用図である。
【図１３】本発明の第４実施形態に係る浴槽を構成する背側風呂蓋及び足側風呂蓋の作用図である。
【図１４】本発明の第４実施形態に係る浴槽の平面図である。
【図１５】本発明の第４実施形態に係る浴槽を用いて入浴者がサウナ浴をしている状態の側面図である。
【図１６】本発明の第４実施形態に係る浴槽を用いて入浴者がサウナ浴をしている状態の平面図である。
【図１７】本発明の第４実施形態に係る浴槽を構成する背側風呂蓋の第１分割部の作用状態を示した正面図である。
【図１８】（Ａ）は従来の浴槽本体に載置された風呂蓋の断面図であり、（Ｂ）は従来の風呂蓋の斜視図である。
【図１９】（Ａ）は従来の風呂蓋の分解斜視図であり、（Ｂ）は従来の風呂蓋の断面図である。
【図２０】従来の風呂蓋の斜視図である。
【図２１】図２０に示す風呂蓋の作用図である。
【図２２】従来の風呂蓋の作用図である。
【符号の説明】
１０        浴槽
１２        風呂蓋
１２Ａ      背側風呂蓋
１２Ｂ      足側風呂蓋
１４        浴槽本体
１６        開口部
１８        段落ち部
２０Ａ      背側リム面
２０Ｂ      足側リム面
２２        切欠部
２６        ヘッドレスト
５０        浴槽
５２        風呂蓋
５２Ａ      背側風呂蓋
５２Ｂ      足側風呂蓋
５４        浴槽本体
６０        段落ち部
６２        収納孔（収納部）
７０        浴槽
７２        風呂蓋
７２Ａ      背側風呂蓋
７２Ｂ      足側風呂蓋
７４        浴槽本体
７６        ピン（突部）
７８        位置決め孔
８０        収納孔（収納部）
１００      浴槽
１０２      浴槽本体
１０４      開口部
１１２      風呂蓋
１１２Ａ    背側風呂蓋
１１２Ｂ    足側風呂蓋
１３０Ａ    第１分割部（分割部）
１３０Ｂ    第２分割部（分割部）
１３０Ｃ    第３分割部（分割部）
１３０Ｄ    第４分割部（分割部）
１３２      切欠部
１３２Ａ    第１軟質部材（軟質部材）
１３２Ｂ    第２軟質部材（軟質部材）
１３２Ｃ    第３軟質部材（軟質部材）
１３８      凹部
１４０      覆い部材
１４２      取付片（取付部）
【図１】
2004305614.tif 000003
【図２】
2004305614.tif 000004
【図３】
2004305614.tif 000005
【図４】
2004305614.tif 000006
【図５】
2004305614.tif 000007
【図６】
2004305614.tif 000008
【図７】
2004305614.tif 000009
【図８】
2004305614.tif 000010
【図９】
2004305614.tif 000011
【図１０】
2004305614.tif 000012
【図１１】
2004305614.tif 000013
【図１２】
2004305614.tif 000014
【図１３】
2004305614.tif 000015
【図１４】
2004305614.tif 000016
【図１５】
2004305614.tif 000017
【図１６】
2004305614.tif 000018
【図１７】
2004305614.tif 000019
【図１８】
2004305614.tif 000020
【図１９】
2004305614.tif 000021
【図２０】
2004305614.tif 000022
【図２１】
2004305614.tif 000023
【図２２】
2004305614.tif 000024